(57)【要約】【課題】セル間非同期のセルラー環境において、ユーザ装置ＵＥが存在するエリアに応じて、ユーザ装置ＵＥを適切に動作させることを可能とする技術を提供する。【解決手段】セルを形成する基地局を備える無線通信システムにおいて使用されるユーザ装置において、在圏セルの基地局から、所定の条件に関するパラメータを受信する情報受信部と、前記所定の条件に関する測定対象信号の測定を行い、当該測定対象信号の測定値と前記パラメータとに基づいて、前記所定の条件が満たされたか否かを判定する条件判定部と、前記条件判定部により、前記所定の条件が満たされたと判定された場合に、所定の動作を実行する動作実行部とを備える。【選択図】図５
2015035710.tif 000002
【特許請求の範囲】
【請求項１】
セルを形成する基地局を備える無線通信システムにおいて使用されるユーザ装置であって、
在圏セルの基地局から、所定の条件に関するパラメータを受信する情報受信部と、
前記所定の条件に関する測定対象信号の測定を行い、当該測定対象信号の測定値と前記パラメータとに基づいて、前記所定の条件が満たされたか否かを判定する条件判定部と、
前記条件判定部により、前記所定の条件が満たされたと判定された場合に、所定の動作を実行する動作実行部と
を備えることを特徴とするユーザ装置。
【請求項２】
前記所定の条件は、第１の条件と第２の条件を有し、
前記動作実行部は、第１の条件が満たされたと判定された場合に、前記在圏セルの基地局とは異なる他の基地局と同期をとるために使用する同期信号のサーチを開始し、第１の条件が満たされた後に、第２の条件が満たされたと判定された場合に、前記在圏セルの基地局から前記他の基地局へ同期を切り替える
ことを特徴とする請求項１に記載のユーザ装置。
【請求項３】
前記所定の条件は、第１の条件と第２の条件を有し、
前記動作実行部は、第１の条件が満たされたと判定された場合に、隣接セルとの間で装置対装置通信の発見信号送受信を開始し、第１の条件が満たされた後に、第２の条件が満たされたと判定された場合に、当該発見信号送受信を停止する
ことを特徴とする請求項１に記載のユーザ装置。
【請求項４】
無線通信システムにおいてユーザ装置と通信する基地局であって、
前記ユーザ装置に対して測定対象信号の測定を行うことを指示する測定要求を送信する測定要求部と、
前記測定要求に基づく測定値を前記ユーザ装置から受信し、当該測定値と所定の条件に関するパラメータとに基づいて、当該所定の条件が満たされたか否かを判定する条件判定部と、
前記条件判定部により、前記所定の条件が満たされたと判定された場合に、前記ユーザ装置に所定の動作を実行させるための制御信号を当該ユーザ装置に送信する動作制御部と
を備えたことを特徴とする基地局。
【請求項５】
前記所定の条件は、第１の条件と第２の条件を有し、
前記動作制御部は、
第１の条件が満たされたと判定された場合に、前記基地局とは異なる他の基地局と同期をとるために使用する同期信号のサーチを前記ユーザ装置に開始させるための制御信号を当該ユーザ装置に送信し、
第１の条件が満たされた後に、第２の条件が満たされたと判定された場合に、前記ユーザ装置に前記基地局から前記他の基地局へ同期を切り替えさせるための制御信号を当該ユーザ装置に送信する
ことを特徴とする請求項４に記載の基地局。
【請求項６】
前記所定の条件は、第１の条件と第２の条件を有し、
前記動作制御部は、
第１の条件が満たされたと判定された場合に、前記ユーザ装置に隣接セルとの間で装置対装置通信の発見信号送受信を開始させるための制御信号を当該ユーザ装置に送信し、
第１の条件が満たされた後に、第２の条件が満たされたと判定された場合に、前記ユーザ装置に前記発見信号送受信を停止させるための制御信号を当該ユーザ装置に送信する
ことを特徴とする請求項４に記載の基地局。
【請求項７】
他の基地局のセルに在圏するユーザ装置から送信される装置対装置通信の発見信号を受信することにより、当該発見信号による干渉量を測定し、当該干渉量が所定の閾値を超えるか否かを判定する干渉判定部と、
前記干渉量が前記所定の閾値を超えると判定された場合に、干渉抑圧要求を他の基地局に送信する干渉抑圧要求送信部とを備え、
前記動作制御部は、前記他の基地局から干渉抑圧要求を受信した場合に、他のセルに対して干渉となる発見信号の送信を抑制するための制御信号を前記基地局に在圏するユーザ装置に送信する
ことを特徴とする請求項４ないし６のうちいずれか１項に記載の基地局。
【請求項８】
他の基地局のセルに在圏するユーザ装置から送信される装置対装置通信の発見信号を受信することにより、当該発見信号による干渉量を測定し、当該干渉量が所定の閾値を超えるか否かを判定する干渉判定部を備え、
前記干渉量が前記所定の閾値を超えると判定された場合に、前記動作制御部は、前記基地局に在圏するユーザ装置に、隣接セルからの干渉があることを示す情報を含む発見信号を送信させるための制御信号を当該ユーザ装置に送信する
ことを特徴とする請求項４ないし６のうちいずれか１項に記載の基地局。
【請求項９】
セルを形成する基地局を備える無線通信システムにおいて使用されるユーザ装置が実行する動作制御方法であって、
在圏セルの基地局から、所定の条件に関するパラメータを受信する情報受信ステップと、
前記所定の条件に関する測定対象信号の測定を行い、当該測定対象信号の測定値と前記パラメータとに基づいて、前記所定の条件が満たされたか否かを判定する条件判定ステップと、
前記条件判定ステップにより、前記所定の条件が満たされたと判定された場合に、所定の動作を実行する動作実行ステップと
を備えることを特徴とする動作制御方法。
【請求項１０】
無線通信システムにおいてユーザ装置と通信する基地局が実行する動作制御方法であって、
前記ユーザ装置に対して測定対象信号の測定を行うことを指示する測定要求を送信する測定要求ステップと、
前記測定要求に基づく測定値を前記ユーザ装置から受信し、当該測定値と所定の条件に関するパラメータとに基づいて、当該所定の条件が満たされたか否かを判定する条件判定ステップと、
前記条件判定ステップにより、前記所定の条件が満たされたと判定された場合に、前記ユーザ装置に所定の動作を実行させるための制御信号を当該ユーザ装置に送信する動作制御ステップと
を備えたことを特徴とする動作制御方法。
【発明の詳細な説明】
【技術分野】
【０００１】
本発明は、端末間（Ｄ２Ｄ）通信に関するものであり、特に、端末（以下、ユーザ装置ＵＥと呼ぶ）が移動する場合に、ユーザ装置ＵＥが適切に動作するよう制御を行う技術に関連するものである。
【背景技術】
【０００２】
移動体通信では、ユーザ装置ＵＥと基地局ｅＮＢが通信を行うことによりユーザ装置ＵＥ間で通信を行うことが一般的であるが、近年、ユーザ装置ＵＥ間で直接に通信を行うＤ２Ｄ通信（装置対装置通信とも呼ぶ）ついての種々の技術が検討されている。
【０００３】
ユーザ装置ＵＥ間で通信を行う際に、一方のユーザ装置ＵＥは、近隣の他方のユーザ装置ＵＥを発見することが必要である。ユーザ装置ＵＥを発見する手法として、各ユーザ装置ＵＥが、自身のＩＤ（識別情報）を含む発見信号（ｄｉｓｃｏｖｅｒｙ  ｓｉｇｎａｌ）を送信（ブロードキャスト）する手法がある。例えば、図１に示すように、ユーザ装置ＵＥ−Ａが、自身の識別情報を含む発見信号を送出し、当該発見信号をユーザ装置ＵＥ−Ｂが受信した場合、ユーザ装置ＵＥ−Ｂは、発見信号の中にユーザ装置ＵＥ−Ａの識別情報があることを判別することにより、ユーザ装置ＵＥ−Ａを発見する。
【０００４】
図２は、発見信号を送信するための無線リソース（以下、リソースと呼ぶ）の一例を示す図である。図２の例では、発見信号の送受信を行うことでユーザ装置ＵＥの発見（及び被発見）を行う発見リソース（例：発見サブフレーム：ｄｉｓｃｏｖｅｒｙ  ｓｕｂｆｒａｍｅ）が周期的に訪れるように定められている。図２に示すように、ある発見信号送受信のための期間（発見期間とも呼ぶ）と次の発見期間との間の時間長を発見信号間隔（ｄｉｓｃｏｖｅｒｙ  ｓｉｇｎａｌ  ｉｎｔｅｒｖａｌ）と呼ぶ。このような発見リソースは、例えば、当該ユーザ装置ＵＥが同期している無線アクセスネットワーク（ＲＡＮ）の基地局ｅＮＢにより割り当てられ、ユーザ装置ＵＥは、発見リソースを発見信号間隔で使用することにより発見信号の送受信を行う。
【０００５】
図２の各発見期間におけるリソースの中には複数のブロック（時間−周波数リソースのブロック）が存在し、各ユーザ装置ＵＥは、例えば、複数のブロックのうちのいずれかのブロックを選択することにより発見信号の送信を行い、いずれかのブロックで発見信号を受信する。図２において、発見期間以外の部分は、通常の基地局ｅＮＢを介した通信に用いられる。
【先行技術文献】
【特許文献】
【０００６】
【特許文献１】特開２０１３−０３４１６５号公報
【発明の概要】
【発明が解決しようとする課題】
【０００７】
上記のようなＤ２Ｄ通信において、ユーザ装置ＵＥが発見信号を送信するタイミングは、当該ユーザ装置ＵＥが受信する同期信号（ｓｙｎｃｈｒｏｎｉｚａｔｉｏｎ  ｒｅｆｅｒｅｎｃｅ、同期の基準となる信号）に基づいて決められる。当該同期信号は、基地局ｅＮＢから受信する場合もあるし、他の装置から受信する場合もある。例えば、各ユーザ装置ＵＥは、接続セル（ｓｅｒｖｉｎｇ  ｃｅｌｌ）から受信する同期信号に基づいて同期をとり、Ｄ２Ｄ通信を行う。
【０００８】
ユーザ装置ＵＥは、複数の同期信号を受信し得る。例えば、ユーザ装置ＵＥがセル端に存在する場合、当該ユーザ装置ＵＥは、接続セルからの同期信号に加えて、隣接セルからも同期信号を受信できる場合がある。このようなセルラー環境においては、ユーザ装置ＵＥは、それが移動する場合に、適切な同期信号を選択し、適切な同期信号に切り替えることができる必要がある。
【０００９】
例えば、図３に示す状況を考える。図３には、基地局ｅＮＢ−Ａ（セルＡ）と基地局ｅＮＢ−Ｂ（セルＢ）が存在するセルラー環境において、ユーザ装置ＵＥが、図示するように移動することが示されている。図３に示すように、ユーザ装置ＵＥは最初に位置１に存在し、そのとき基地局ｅＮＢ―Ａから同期信号を受信する。ユーザ装置ＵＥは移動して最終的に位置３に到達し、そのときには基地局ｅＮＢ―Ｂから同期信号を受信する。その途中の位置２において、ユーザ装置ＵＥは基地局ｅＮＢ―Ａと基地局ｅＮＢ―Ｂの両方から同期信号を受信できる可能性がある。
【００１０】
セル間非同期である無線通信システムの場合、異なるセル（基地局ｅＮＢ）から受信する複数の同期信号も非同期である。したがって、ユーザ装置ＵＥが図３の位置２に存在し、Ｄ２Ｄ通信を行う場合において、Ｄ２Ｄ通信の相手はセルＡに存在するとともに、セルＢにも存在するから、ユーザ装置ＵＥは、例えば、セルＡに同期したＤ２Ｄ通信を行うことに加えて、セルＢの同期信号に同期して、セルＢのユーザ装置ＵＥとの間でＤ２Ｄ通信を行うことが必要になる。また、セルＢへの移動の過程では、セルＢでのＤ２Ｄ通信を行うために、適切なタイミングでセルＢの同期信号に切り替えることが必要である。
【００１１】
また、上記のようなセル間非同期であるセルラー環境では、Ｄ２Ｄ発見信号とセルラー通信信号との間にセル間干渉が生じ得る。例えば、図４（ａ）、（ｂ）に示すように、基地局ｅＮＢ−Ａと基地局ｅＮＢ−Ｂが存在するセル間非同期環境において、セル端付近にいるユーザ装置ＵＥ１から送信された発見信号が、セルＢに在圏するユーザ装置ＵＥ３の上り信号に対する干渉になり得る。このような干渉を低減するために、例えばセル端付近に存在するユーザ装置ＵＥに対して、自セルでの発見信号送信を抑制する等の適切な制御が必要である。
【００１２】
本発明は上記の点に鑑みてなされたものであり、セル間非同期のセルラー環境において、ユーザ装置ＵＥが存在するエリアに応じて、ユーザ装置ＵＥを適切に動作させることを可能とする技術を提供することを目的とする。
【課題を解決するための手段】
【００１３】
本発明の実施の形態によれば、セルを形成する基地局を備える無線通信システムにおいて使用されるユーザ装置であって、
在圏セルの基地局から、所定の条件に関するパラメータを受信する情報受信部と、
前記所定の条件に関する測定対象信号の測定を行い、当該測定対象信号の測定値と前記パラメータとに基づいて、前記所定の条件が満たされたか否かを判定する条件判定部と、
前記条件判定部により、前記所定の条件が満たされたと判定された場合に、所定の動作を実行する動作実行部とを備えることを特徴とするユーザ装置が提供される。
【００１４】
また、本発明の実施の形態によれば、無線通信システムにおいてユーザ装置と通信する基地局であって、
前記ユーザ装置に対して測定対象信号の測定を行うことを指示する測定要求を送信する測定要求部と、
前記測定要求に基づく測定値を前記ユーザ装置から受信し、当該測定値と所定の条件に関するパラメータとに基づいて、当該所定の条件が満たされたか否かを判定する条件判定部と、
前記条件判定部により、前記所定の条件が満たされたと判定された場合に、前記ユーザ装置に所定の動作を実行させるための制御信号を当該ユーザ装置に送信する動作制御部とを備えたことを特徴とする基地局が提供される。
【発明の効果】
【００１５】
本発明の実施の形態によれば、セル間非同期のセルラー環境において、ユーザ装置ＵＥが存在するエリアに応じて、ユーザ装置ＵＥを適切に動作させることを可能とする技術を提供することが可能となる。
【図面の簡単な説明】
【００１６】
【図１】Ｄ２Ｄ通信でユーザ装置ＵＥを発見する技術を説明するための図である。
【図２】発見リソースの例を示す図である。
【図３】ユーザ装置ＵＥが位置１から位置３まで移動する状況を示す図である。
【図４】セル間非同期環境における干渉の例を示す図である。
【図５】本発明の実施の形態に係る無線通信システムの全体構成例を示す図である。
【図６】第１の実施の形態の概要を示す図である。
【図７】例１−１を説明するための図である。
【図８】例１−１を説明するための図である。
【図９】隣接セルとの間での発見信号送受信方法の例を説明するための図である。
【図１０】隣接セルとの間での発見信号送受信方法の例を説明するための図である。
【図１１】隣接セルとの間での発見信号送受信方法の例を説明するための図である。
【図１２】例１−２を説明するための図である。
【図１３】例１−２を説明するための図である。
【図１４】第２の実施の形態の概要を説明するための図である。
【図１５】例２−１を説明するための図である。
【図１６】例２−１を説明するための図である。
【図１７】例２−２を説明するための図である。
【図１８】例２−２を説明するための図である。
【図１９】第１、第２の実施の形態におけるユーザ装置ＵＥの構成例である。
【図２０】第１、第２の実施の形態における基地局ｅＮＢの構成例である。
【図２１】例３−１を説明するための図である。
【図２２】例３−１の具体例を示す図である。
【図２３】例３−２を説明するための図である。
【図２４】第３の実施の形態における基地局ｅＮＢの構成例を示す図である。
【発明を実施するための形態】
【００１７】
以下、図面を参照して本発明の実施の形態を説明する。なお、以下で説明する各実施の形態は一例に過ぎず、本発明が適用される実施の形態は、以下の実施の形態に限られるわけではない。なお、本実施の形態における無線通信システムは、ＬＴＥ（ＬＴＥ−Ａｄｖａｎｃｅｄを含む）に準拠した機能を含むが、本発明を適用可能な通信方式はＬＴＥに限られるわけではなく、本発明は他の通信方式にも適用可能である。
【００１８】
（実施の形態の概要）
本実施の形態では、ユーザ装置ＵＥが、セル中央エリアに存在するか、セル端エリアに存在するか等に依存して、その動作（ｂｅｈａｖｉｏｕｒ）を変えるよう制御がなされる。本実施の形態では、ユーザ装置ＵＥが動作を変えるための条件（判断基準）が設定される。条件は、例えば、同期信号の強度（受信電力）と閾値との比較結果に基づき所定の動作を行うというものである。また、条件及び条件を満たした場合のユーザ装置ＵＥの動作は基地局ｅＮＢからの制御信号により制御が可能である。
【００１９】
図５に、本実施の形態に係る無線通信システム（第１、第２、第３の実施の形態に共通）におけるシステム全体構成例を示す。図５に示すように、本実施の形態では、基地局ｅＮＢ−Ａと基地局ｅＮＢが存在する環境（非同期であるとする）において、ユーザ装置ＵＥが移動することを想定している。
【００２０】
図５を参照して本実施の形態の概要を説明する。本実施の形態では、例えば、セルＡの中央エリアに在圏しているユーザ装置ＵＥは、条件（図５の例では条件１、条件２）を設定する制御信号を受信する。ユーザ装置ＵＥはセルＢの方向へ移動するが、図５に示す区間１においては、条件１が満たされない場合に対応する動作１を行う。移動の途中で条件１を満たし、その後の区間２では、ユーザ装置ＵＥは、条件１を満たした場合に対応する動作２を行う。そして、条件２が満たされた後の区間３において、条件２を満たした場合に対応する動作３を行う。
【００２１】
以下、本実施の形態のより具体的な実施の形態として、第１の実施の形態、第２の実施の形態、第３の実施の形態を説明する。
【００２２】
（第１の実施の形態）
第１の実施の形態では、同期信号（ｓｙｎｃｈｒｏｎｉｚａｔｉｏｎ  ｒｅｆｅｒｅｎｃｅ）の切り替え等を行うための条件が定められ、条件が満たされた場合に、ユーザ装置ＵＥは、当該条件が満たされた場合に行うべき動作として予め定められた動作を行う。
【００２３】
より具体的には、本実施の形態では、図６に示すように、ユーザ装置ＵＥが同期をとっているセル（基地局ｅＮＢ）ではない他のセルの同期信号のサーチを開始する条件１と、当該他の同期信号を用いた同期へ切り替える条件２を定義している。
【００２４】
本実施の形態において、同期信号は、例えばＤ２Ｄ通信を行うためにシステムで定められた所定の期間（サブフレーム等）を正確に認識するために用いられる。例えば、システム全体でサブフレーム３が発見信号送受信のための期間として定められていた場合、各ユーザ装置ＵＥは、接続セルから受信する同期信号に基づき、当該セルにおけるサブフレーム３の時間位置を把握し、サブフレーム３になったら発見信号送受信の動作を行う。
【００２５】
本実施の形態では、基本的に、ユーザ装置ＵＥは、基地局ｅＮＢから受信する下り信号（これを測定対象信号と呼ぶ）を測定し、測定値を得る。そして、測定値と閾値とが比較され、比較結果に応じて条件が満たされたかどうかが判定され、判定結果に応じてユーザ装置ＵＥの動作が制御される。
【００２６】
このような制御を行うために、条件１と条件２のそれぞれについて、例えば、測定対象信号の種類、測定値の種類（測定対象信号の測定内容）、閾値、条件の内容（"閾値＞測定値"等）が定められている。
【００２７】
測定対象信号は、基地局ｅＮＢ（接続基地局ｅＮＢ及び／又は隣接基地局ｅＮＢ）から受信する下り信号である。当該下り信号は、例えば、ＰＳＳ／ＳＳＳ、ＰＲＳ、ＣＳＩ−ＲＳ、ＣＲＳ等であり、下り信号が上述した同期信号であってもよい。また、測定対象信号は、自セルもしくは隣接セルのユーザ装置ＵＥから送信される上り信号、発見信号等であってもよい。
【００２８】
測定値は、受信信号電力、受信信号品質等であり、より具体的には、例えば、ＲＳＲＰ、ＲＳＲＱ、ＲＳＳＩ等である。また、例えば測定対象信号が、隣接セルのユーザ装置ＵＥから送信される上り信号、発見信号等である場合、測定値は、当該上り信号等が自セルに及ぼす干渉量の値や、発見信号の混雑度を表す値であってもよい。
【００２９】
条件の内容としては、例えば、条件１において、測定値の種類が受信信号電力である場合に、測定値が所定の閾値よりも小さい場合に、条件１が満たされたと判断する等がある。
【００３０】
また、条件２に関しては、本実施の形態では、測定対象信号を同期動作のために使用している同期信号（現同期信号と呼ぶ）と、条件１満足後の同期信号サーチにより得られた他の同期信号としている。そして、例えば、現同期信号の測定値と他の同期信号の測定値との差を閾値と比較することで条件２を満たすかどうかが決定される。例えば、他の同期信号の受信信号電力が３ｄＢ以上、現同期信号よりも大きい場合に条件２を満たすと判断する。
【００３１】
本実施の形態では、基地局ｅＮＢは、ＲＲＣアイドル状態のユーザ装置ＵＥに対しては例えばＳＩＢ等の報知信号（ｂｒｏａｄｃａｓｔ  ｓｉｇｎａｌｉｎｇ）にて、条件１、条件２に対応するパラメータを通知し、ＲＲＣ接続状態のユーザ装置ＵＥに対してはＲＲＣシグナリング、制御シグナリング（ＰＤＣＣＨ等）にて制御信号等を送信する。
【００３２】
以下では、ユーザ装置ＵＥがＲＲＣアイドル状態である場合の具体例を例１−１として説明し、ユーザ装置ＵＥがＲＲＣ接続状態である場合の具体例を例１−２として説明する。
【００３３】
＜例１−１＞
ユーザ装置ＵＥがＲＲＣアイドル状態である場合における動作例を図７、図８を参照して説明する。
【００３４】
本例では、図７に示すように、ユーザ装置ＵＥ１が、基地局ｅＮＢ−ＡのセルＡから基地局ｅＮＢ−ＢのセルＢに移動する際の動作を説明する。以下、図８に示すフローチャートの手順に沿って例１−１を説明する。図７に示すステップ番号は、図８に示すステップ番号に対応する。
【００３５】
セルＡに在圏するユーザ装置ＵＥは、基地局ｅＮＢから条件１と条件２に関するパラメータを取得する（ステップ１０１）。ここでは、基地局ｅＮＢは、上記パラメータを含む下り信号を送信し、ユーザ装置ＵＥがその下り信号を受信することによりパラメータを取得する。下り信号は特定の種類に限定されないが、例えば、ＲＲＣシグナリングの信号、報知信号（システム情報）をパラメータ通知のための信号として利用できる。これらの信号として、ＬＴＥで規定されている既存の信号を用いてもよいし、新たに信号を定義してもよい。
【００３６】
パラメータは、例えば、条件１と条件２のそれぞれについて、測定対象信号、測定内容、閾値、条件の内容を含む。ただし、測定対象信号、測定内容、条件の内容等が予め定められ、ユーザ装置ＵＥに設定されている場合には、基地局ｅＮＢは、条件１と条件２のそれぞれについての閾値をパラメータとして送信することとしてもよい。
【００３７】
ユーザ装置ＵＥは、条件１に関する測定対象信号の測定を行い（ステップ１０２）、測定値に基づいて、条件１が満たされるかどうか判定する（ステップ１０３）。図７は、測定対象信号が同期信号である例を示している。例えば、条件１が、「同期信号の受信電力が閾値１以下である」という条件である場合、ステップ１０３において、ユーザ装置ＵＥは、同期信号の受信電力と閾値１を比較し、受信電力が閾値１以下であるかどうかを判定することにより、条件１が満たされるかどうかを判定する。
【００３８】
ステップ１０３における判定により、条件１が満たされると判定された場合にはステップ１０４に進み、条件１が満たされない場合はステップ１０２からの処理が繰り返される。図７に示すように、本例では、ユーザ装置ＵＥがセルＡとセルＢの境界付近に位置する場合に条件１が満たされると想定される。
【００３９】
条件１が満たされた後のステップ１０４において、ユーザ装置ＵＥは他の同期信号のサーチを開始する。サーチは、例えば、所定の期間毎にブラインドで他の同期信号を検出することにより行われる。また、ユーザ装置ＵＥは、他の同期信号を検出すると、例えば周期的に当該他の同期信号の測定を行う（ステップ１０５）。
【００４０】
更に、ユーザ装置ＵＥは、例えば隣接セルＢとの間で発見信号送受信（ｃｒｏｓｓ  ｃｅｌｌ  ｄｉｓｃｏｖｅｒｙ）を行うために所定の契機で他の同期信号に同期してもよい（ステップ１０６）。
【００４１】
＜セル間でのＤ２Ｄ通信の方法例＞
ここで、隣接セルとの間での発見信号送受信方法の例について図９〜図１１を参照して説明する。
【００４２】
図９に示すように、基地局ｅＮＢ−Ａと基地局ｅＮＢが存在する環境（非同期であるとする）において、基地局ｅＮＢ−ＡのセルＡ内のユーザ装置ＵＥ１と、基地局ｅＮＢ−ＢのセルＢ内のユーザ装置ＵＥ２とがＤ２Ｄ通信を行う場合について説明する。
【００４３】
基地局ｅＮＢ−ＡのセルＡ内のユーザ装置ＵＥ１は基地局ｅＮＢ−Ａと同期し、基地局ｅＮＢ−ＢのセルＢ内のユーザ装置ＵＥ２は基地局ｅＮＢ−Ｂと同期する。しかし、基地局ｅＮＢ−Ａと基地局ｅＮＢ−Ｂは同期していないため、ユーザ装置ＵＥ１はユーザ装置ＵＥ２と同期していない。
【００４４】
このような環境において、例えば図１０に示すように、ユーザ装置ＵＥ２が、隣接セルＡ（ユーザ装置ＵＥ１）における発見期間（発見サブフレーム）の時刻を把握し、当該期間において発見信号を受信する動作を行う。
【００４５】
上記の動作を実現するために、ユーザ装置ＵＥ２は、隣接セルＡからの発見信号が存在し得る（ラフな）リソース範囲（例：時間−周波数範囲、時間範囲）を決定する。
【００４６】
ここでの決定では、自セルＢにおける基地局ｅＮＢ（もしくはユーザ装置ＵＥ）から受信する信号を利用する。すなわち、自セルＢの基地局ｅＮＢ（もしくはユーザ装置ＵＥ）が、隣接セルＡからの発見信号が現れ得るラフな（おおよその）リソース範囲を決定し、自身のタイミングでユーザ装置ＵＥ２に通知する。
【００４７】
その具体的な方法としては、例えば２種類があり、第１の方法では、基地局ｅＮＢ−Ｂが隣接セルＡから送信された発見信号を観測し、その観測に基づいて隣接セルＡにおける発見信号のリソース範囲を検出し、その情報を配下のユーザ装置ＵＥ２に通知する。
【００４８】
第２の方法では、セルＢのセル端のユーザ装置ＵＥが隣接セルＡの基地局ｅＮＢ−Ａから下り信号を受信することにより、自セルＢと隣接セルＡとの間のサブフレームのタイミングの差分を検出し、その差分の情報を自セルＢの基地局ｅＮＢ−Ｂに通知する。そして、当該基地局ｅＮＢ−Ｂは、配下のユーザ装置ＵＥ２に差分の情報を通知する。これにより、当該ユーザ装置ＵＥ２は、隣接セルにおける発見期間の範囲を把握することができる。
【００４９】
上記のようにして隣接セルＡから発見信号が送信され得るリソースの範囲を通知されたユーザ装置ＵＥ２は、当該範囲において、隣接セルＡにおけるタイミングと同期をとり、隣接セルＡのユーザ装置ＵＥ１から送信された発見信号を受信（検出）する。
【００５０】
隣接セルＡと同期をとるためにユーザ装置ＵＥ２は隣接セルＡから同期信号を受信する。その具体的な方法としては、例えば３種類あり、第１の方法では、ユーザ装置ＵＥ２は隣接セルＡの基地局ｅＮＢ−Ａから送信された同期信号を受信する。第２の方法では、ユーザ装置ＵＥ２は、隣接セルＡにおいて選択されたユーザ装置ＵＥ（ａｎｃｈｏｒ  ＵＥ）から同期信号を受信する。第３の方法では、ユーザ装置ＵＥ２は、隣接セルにおいて発見信号を送信するユーザ装置ＵＥ１から同期信号を受信する。つまり、この場合、隣接セルＡのユーザ装置ＵＥ１は、同期信号とともに発見信号を送信する。
【００５１】
また、図１０の方法の他、図１１に示すように、ユーザ装置ＵＥ１が、隣接セルＢ（ユーザ装置ＵＥ２）における発見期間（発見サブフレーム）の時刻を把握し、当該期間において発見信号を送信するようにしてもよい。
【００５２】
この動作を実現するために、ユーザ装置ＵＥ１は、隣接セルＢからの発見信号が存在し得る（ラフな）リソース範囲（例：時間−周波数範囲、時間範囲）を決定する。つまり、隣接セルＢで発見信号が検出され得るリソース範囲を決定する。ここでの決定方法は、上記の例と同様であり、第１の方法と第２の方法がある。第１の方法では、基地局ｅＮＢ−Ａが隣接セルＢから送信された発見信号を観測し、その観測に基づいて隣接セルＢにおける発見信号受信のリソース範囲を検出し、その情報を配下のユーザ装置ＵＥ１に通知する。
【００５３】
第２の方法では、セルＡのセル端のユーザ装置ＵＥが隣接セルＢの基地局ｅＮＢ−Ｂから下り信号を受信することにより、自セルＡと隣接セルＢとの間のサブフレームのタイミングの差分を検出し、その差分の情報を自セルＡの基地局ｅＮＢ−Ａに通知する。そして、当該基地局ｅＮＢ−Ａは、配下のユーザ装置ＵＥ１に差分の情報を通知する。これにより、当該ユーザ装置ＵＥ１は、隣接セルＢにおける発見期間の範囲（リソース範囲）を把握することができる。
【００５４】
上記のようにして、隣接セルＢにおいて発見信号が検出され得るリソースの範囲を通知されたユーザ装置ＵＥ１は、当該範囲の期間において、隣接セルＢにおけるタイミングと同期をとり、隣接セルＢにおける発見サブフレームで、発見信号を送信する。
【００５５】
隣接セルＢと同期をとるためにユーザ装置ＵＥ１は隣接セルＢから同期信号を受信する。その具体的な方法としては、例えば２種類あり、第１の方法では、ユーザ装置ＵＥ１は隣接セルＢの基地局ｅＮＢ−Ｂから送信された同期信号を受信する。第２の方法では、ユーザ装置ＵＥ１は、隣接セルＢにおいて選択されたユーザ装置ＵＥ（ａｎｃｈｏｒ  ＵＥ）から同期信号を受信する。
【００５６】
図７、図８に戻り、ステップ１０７において、他の同期信号の測定を行うユーザ装置ＵＥは、条件２が満たされるかどうかの判定を行う。前述したように、例えば、現同期信号（セルＡの同期信号）の測定値と他の同期信号（セルＢの同期信号）の測定値との間の差と、閾値とを比較することで条件２を満たすかどうかが判定される。
【００５７】
条件２が満たされないと判定された場合、ステップ１０３からの処理を繰り返し行う。条件２が満たされたと判定された場合、ステップ１０８に進む。ステップ１０８では、当該他の同期信号を新たな同期信号（現同期信号）として使用することを決定する。また、ユーザ装置ＵＥは、必要に応じて、Ｄ２Ｄ通信のためのパラメータを受信する（ステップ１０９）。このパラメータは、例えば、前述したような隣接セルにおける発見期間の情報である。その後、ステップ１０１に戻り、当該セルＢにおけるパラメータ受信を行う。
【００５８】
＜例１−２＞
ユーザ装置ＵＥがＲＲＣ接続状態である場合の動作例を図１２、図１３を参照して説明する。
【００５９】
本例では、図１２に示すように、ユーザ装置ＵＥが、基地局ｅＮＢ−ＡのセルＡから基地局ｅＮＢ−ＢのセルＢに移動する際の動作を説明する。以下、図１３のフローチャートの手順に沿って説明する。図１３に示すステップ番号は、図１２に示すステップ番号に対応する。
【００６０】
ユーザ装置ＵＥがＲＲＣ接続状態にある場合、ユーザ装置ＵＥが行う同期信号サーチや切り替えの動作はネットワーク（基地局ｅＮＢ）から制御される。つまり、基地局ｅＮＢは、ユーザ装置ＵＥから受信する測定値に基づいて、条件（条件１、条件２）についての閾値と比較を行い、条件を満足する場合に、所定の動作をユーザ装置ＵＥに実行させるよう、制御信号をユーザ装置ＵＥに送信する。
【００６１】
まず、ステップ１１１において、ユーザ装置ＵＥは基地局ｅＮＢ−Ａから制御信号（測定要求）を受信し、その制御信号に基づいて測定対象信号の測定値等を基地局ｅＮＢ−Ａに報告する。
【００６２】
基地局ｅＮＢ−Ａは、ユーザ装置ＵＥから受信した測定値に基づいて、条件１の判定を行い、他の同期信号のサーチの開始、停止等をユーザ装置ＵＥに対して制御信号により指示する（ステップ１１２）。また、基地局ｅＮＢ−Ａは、ユーザ装置ＵＥから受信した測定値に基づいて、例えば隣接セルとの間で発見信号送受信を行うために、他の同期信号への同期に切り替えるよう制御信号で通知を行うこととしてもよい（ステップ１１３）。
【００６３】
また、ユーザ装置ＵＥがセルＢ側に移動した状況において、基地局ｅＮＢ−Ａは、ユーザ装置ＵＥから受信する同期信号（セルＡの同期信号、及びセルＢの同期信号）の測定値に基づき、条件２が満足したかどうかを判定し、満足したと判定した場合に、他の同期信号へ切り替えるよう、制御信号で指示する（ステップ１１４）。また、ユーザ装置ＵＥは、基地局ｅＮＢ−Ｂから種々のパラメータを受信する（ステップ１１４）。当該パラメータは、例えば、隣接セルＡとの間で発見信号送受信を行うために利用される隣接セルＡにおける発見期間の情報である。
【００６４】
上記の処理において基地局ｅＮＢから送信される制御信号としては既存の下り信号を用いてもよいし、新たな下り信号を用いてもよい。当該下り信号は、例えば、ＲＲＣシグナリング、（ｅ）ＰＤＣＣＨ、ＰＤＳＣＨ、報知信号（ｂｒｏａｄｃａｓｔ  ｓｉｇｎａｌｉｎｇ）等である。また、ユーザ装置ＵＥが測定値を報告する上り信号としては例えばＲＲＣシグナリング、ＰＵＣＣＨ、ＰＵＳＣＨを使用することができる。
【００６５】
（第２の実施の形態）
次に、第２の実施の形態を説明する。第２の実施の形態では、隣接セル間での発見信号送受信（ｃｒｏｓｓ−ｃｅｌｌ  ｄｉｓｃｏｖｅｒｙ）のための条件が設定される。
【００６６】
図１４に示すように、本実施の形態では、セルＡに在圏するユーザ装置ＵＥが隣接セルＢにおけるユーザ装置ＵＥとの間で発見信号の送受信を開始するための条件１と、ユーザ装置ＵＥが隣接セルＢにおけるユーザ装置ＵＥとの間での発見信号の送受信を停止するための条件２が定義されている。図１４に示すように、条件１は、ユーザ装置ＵＥがセル端方向へ移動している中で満足されることが想定され、条件２は、ユーザ装置ＵＥがセル端からセル中央側に移動する中で満足されることが想定される条件である。
【００６７】
第１の実施の形態と同様に、条件１と条件２のそれぞれについて、測定対象信号の種類、測定値の種類（測定対象信号の測定内容）、閾値、条件の内容（"閾値＞測定値"等）が定められている。
【００６８】
測定対象信号は、基地局ｅＮＢ（接続基地局ｅＮＢ及び／又は隣接基地局ｅＮＢ）から受信する下り信号である。当該下り信号は、例えば、ＰＳＳ／ＳＳＳ、ＰＲＳ、ＣＳＩ−ＲＳ、ＣＲＳ等であり、下り信号が同期信号であってもよい。測定対象信号は、自セルもしくは隣接セルのユーザ装置ＵＥから送信される上り信号、発見信号等であってもよい。
【００６９】
測定値は、受信信号電力、受信信号品質等であり、より具体的には、例えば、ＲＳＲＰ、ＲＳＲＱ、ＲＳＳＩ等である。また、例えば測定対象信号が、隣接セルのユーザ装置ＵＥから送信される上り信号、発見信号等である場合、測定値は、当該上り信号が自セルに及ぼす干渉量の値や、発見信号の混雑度を表す値であってもよい。
【００７０】
条件１の適用の具体例としては、例えば、隣接基地局ｅＮＢからの同期信号の受信電力が所定の閾値より大きく、在圏基地局ｅＮＢからの同期信号の受信電力が所定の閾値よりも小さい場合に隣接セルとの間で発見信号送受信を行う等がある。また、条件１の適用の具体例として、例えば、隣接基地局ｅＮＢからの同期信号の受信電力が所定の閾値より大きい場合に隣接セルとの間で発見信号送受信を行うようにしてもよい。
【００７１】
また、条件２の適用の具体例としては、例えば、隣接基地局ｅＮＢからの同期信号の受信電力が所定の閾値より小さく、在圏基地局ｅＮＢからの同期信号の受信電力が所定の閾値よりも大きい場合に隣接セルとの間での発見信号送受信を停止する等がある。また、条件２の適用の具体例として、例えば、隣接基地局ｅＮＢからの同期信号の受信電力が所定の閾値より小さい場合に隣接セルとの間での発見信号送受信を停止するようにしてもよい。
【００７２】
なお、開始／停止の動作が頻繁に繰り返されるピンポン効果を回避するために、条件の一部（パラメータ）として、ヒステリシス、オフセット、トリガー時間を設けてもよい。
【００７３】
本実施の形態では、基地局ｅＮＢは、ＲＲＣアイドル状態のユーザ装置ＵＥに対しては例えばＳＩＢ等の報知信号（ｂｒｏａｄｃａｓｔ  ｓｉｇｎａｌｉｎｇ）にて、条件１、条件２に対応するパラメータを通知し、ＲＲＣ接続状態のユーザ装置ＵＥに対してはＲＲＣシグナリング、制御シグナリング（ＰＤＣＣＨ等）にて制御信号等を送信する。
【００７４】
以下では、ユーザ装置ＵＥがＲＲＣアイドル状態である場合の具体例を例２−１として説明し、ユーザ装置ＵＥがＲＲＣ接続状態である場合の具体例を例２−２として説明する。
【００７５】
＜例２−１＞
ユーザ装置ＵＥがＲＲＣアイドル状態である場合における動作例を図１５、図１６を参照して説明する。
【００７６】
図１５は、ユーザ装置ＵＥが、基地局ｅＮＢ−ＡのセルＡのセル端付近からセルＢ側に向かって移動する状況、及びユーザ装置ＵＥが、セルＡのセル端付近からセルＡの中央側に向かう状況を示している。
【００７７】
以下、図１６のフローチャートの手順に沿って例２−１の動作を説明する。図１５に示すステップ番号は、図１６に示すステップ番号に対応する。
【００７８】
ユーザ装置ＵＥは、基地局ｅＮＢ−Ａから条件１と条件２に関するパラメータを取得する（ステップ２０１）。ここでは、基地局ｅＮＢ−Ａは、上記パラメータを含む下り信号を送信し、ユーザ装置ＵＥがその下り信号を受信することによりパラメータを取得する。下り信号は特定の種類に限定されないが、例えば、ＲＲＣシグナリングの信号、報知信号（システム情報）をパラメータ通知のための信号として利用できる。これらの信号として、ＬＴＥで規定されている既存の信号を用いてもよいし、新たに信号を定義してもよい。
【００７９】
パラメータは、例えば、条件１と条件２のそれぞれについて、測定対象信号、測定内容、閾値、条件の内容を含む。ただし、測定対象信号、測定内容、条件の内容等が予め定められ、ユーザ装置ＵＥに設定されている場合には、基地局ｅＮＢ−Ａは、条件１と条件２のそれぞれについての閾値をパラメータとして送信することとしてもよい。
【００８０】
ユーザ装置ＵＥは、条件１に関する測定対象信号の測定を行い（ステップ２０２）、測定値に基づいて、条件１が満たされるかどうかを判定する（ステップ２０３）。
【００８１】
ステップ２０３における判定により、条件１が満たされると判定された場合にはステップ２０４に進み、条件１が満たされない場合はステップ２０２からの処理が繰り返される。図１５に示すように、本例では、ユーザ装置ＵＥが、セルＡの側からセルＡのセル端かつセルＢのセル端であるエリアに移動した場合に条件１が満たされると想定される。
【００８２】
条件１が満たされた後のステップ２０４において、ユーザ装置ＵＥは、セルＡでの発見信号の送受信を行うとともに、前述した方法により、隣接セルＢとの間で発見信号の送受信を行う（ステップ２０４）。
【００８３】
また、ユーザ装置ＵＥは、条件２に関する測定対象信号の測定を行い（ステップ２０５）、測定値を取得し、条件２が満たされるかどうかの判定を行う（ステップ２０６）。条件２が満たされないと判定された場合、ステップ２０３からの処理を繰り返し行う。条件２が満たされたと判定された場合、隣接セルとの間の発見信号送受信を停止し、ステップ２０２に戻る。本例では、条件１を満たして隣接セルＢとの間の発見信号送受信を行っているユーザ装置ＵＥが、セルＡの中心側に移動した場合に条件２が満たされると想定される。
【００８４】
＜例２−２＞
ユーザ装置ＵＥがＲＲＣ接続状態である場合の動作例を図１７、図１８を参照して説明する。
【００８５】
ユーザ装置ＵＥがＲＲＣ接続状態にある場合、ユーザ装置ＵＥの動作はネットワーク（基地局ｅＮＢ）から制御される。以下で説明する例では、基地局ｅＮＢ−Ａと基地局ｅＮＢ−Ｂは同様の動作を行うので、基地局ｅＮＢ−Ａと基地局ｅＮＢ−Ｂを区別せずに基地局ｅＮＢと記述する。図１７に示すステップ番号は、図１８に示すステップ番号に対応する。
【００８６】
ステップ２１１において、ユーザ装置ＵＥは基地局ｅＮＢから制御信号を受信し、その制御信号に基づいて測定対象信号の測定を行って、測定値（例：接続基地局ｅＮＢからの同期信号の受信電力と隣接基地局ｅＮＢからの同期信号の受信電力）を基地局ｅＮＢに報告する。
【００８７】
基地局ｅＮＢは、ユーザ装置ＵＥから受信した測定値に基づいて、隣接セルとの間での発見信号送受信の開始、停止等の条件（条件１、条件２）を満たしたかどうかを判定し（ステップ２１２）、条件を満たしたと判定した場合はステップ２１３に進み、条件を満たしていないと判定した場合はステップ２１１からの処理を繰り返す。
【００８８】
条件を満たした場合のステップ２１３において、基地局ｅＮＢは、隣接セルとの間での発見信号送受信の開始、停止等を指示する制御信号をユーザ装置ＵＥに送信する。つまり、条件１を満たした場合に、隣接セルとの間での発見信号送受信の開始を指示し、条件１を満たした後に条件２を満たした場合に、隣接セルとの間での発見信号送受信の停止を指示する。
【００８９】
上記の処理において基地局ｅＮＢからユーザ装置ＵＥ送信される制御信号としては既存の下り信号を用いてもよいし、新たな下り信号を用いてもよい。当該下り信号は、例えば、ＲＲＣシグナリング、（ｅ）ＰＤＣＣＨ、ＰＤＳＣＨ、報知信号（broadcast signaling）等である。また、ユーザ装置ＵＥが測定値を報告する上り信号としては例えばＲＲＣシグナリング、ＰＵＣＣＨ、ＰＵＳＣＨを使用することができる。
【００９０】
（第１、第２の実施の形態における装置構成例）
以下、第１、第２の実施の形態に共通の装置構成を説明する。以下で説明する各装置は、第１及び第２の実施の形態で説明した全ての例の動作を実行可能であるものとする。また、以下で示す構成は、第３の実施の形態に適用されてもよい。基地局ｅＮＢについては、以下で説明する機能に、第３の実施の形態での動作に対応する機能が追加されたものになる。
【００９１】
＜ユーザ装置ＵＥの構成例＞
まず、ユーザ装置ＵＥについて説明する。図１９に示すように、ユーザ装置ＵＥは、受信部１０１、パラメータ取得部１０２、パラメータ格納部１０３、測定部１０４、条件判定部１０５、動作実行部１０６、送信部１０７を備える。
【００９２】
受信部１０１は、基地局ｅＮＢからの下り信号（測定対象信号、測定を指示する信号、パラメータを含む制御信号等）を受信する。パラメータ取得部１０２は、基地局ｅＮＢから受信する制御信号から、条件１、条件２に関するパラメータ（閾値等）を取得し、当該パラメータをパラメータ格納部１０３に格納する。測定部１０４は、基地局ｅＮＢから受信する測定対象信号を測定し、測定値を取得する。条件判定部１０５は、パラメータ格納部１０３に格納されているパラメータと、測定部１０４により得られた測定値とに基づいて、条件（例：条件１、条件２）が満たされたかどうかを判定する。
【００９３】
判定結果は動作実行部１０６に通知され、動作実行部１０６は判定結果に基づいて動作を行う。例えば、例１−１において、条件１が満たされたと判定された場合、動作実行部１０６は、他の同期信号をサーチする動作を開始する。また、例えば例２−１において、条件１が満たされたと判定された場合、動作実行部１０６は、隣接セルとの間で発見信号を送受信するための動作を実行する。
【００９４】
送信部１０７は、発見信号、制御信号等の各種信号の送信を行う。例えば例１−２において、送信部１０７は、測定値を含む制御信号を基地局ｅＮＢに送信する。
【００９５】
＜基地局ｅＮＢの構成例＞  
次に、基地局ｅＮＢについて説明する。図２０に示すように、基地局ｅＮＢは、送信部２０１、測定要求部２０２、受信部２０３、条件判定部２０４、パラメータ格納部２０５、動作制御部２０６を備える。
【００９６】
送信部２０１は、測定指示の信号、パラメータを含む制御信号、動作を指示する制御信号等の各種信号をユーザ装置ＵＥに送信する。測定要求部２０２は、ユーザ装置ＵＥに対して測定を要求する信号を作成し、送信部２０１を介して送信する。受信部２０３は、ユーザ装置ＵＥから測定値を含む制御信号を受信し、測定値を条件判定部２０４に渡す。
【００９７】
パラメータ格納部２０５には、条件に対応する閾値等のパラメータが予め格納されており、条件判定部２０４は、測定値とパラメータとから条件が満たされたかどうかを判定し、判定結果を動作制御部２０６に渡す。動作制御部２０６は、判定結果に応じて、動作を指示する制御信号を作成し、送信部２０１を介してユーザ装置ＵＥに送信する。例えば、例２−２において、条件１を満たしたと判定された場合に、動作制御部２０６は、ユーザ装置ＵＥに対し、隣接セルとの間で発見信号送受信を行うよう指示する制御信号を作成し、送信部２０１を介して送信する。
【００９８】
（第３の実施の形態）
次に、第３の実施の形態を説明する。第３の実施の形態では、干渉回避のための制御方法の例を示す。以下では、基地局ｅＮＢ間通信を用いてセル間干渉を制御する例として例３−１を説明し、基地局ｅＮＢ間での調整を含まない例を例３−２として説明する。
【００９９】
＜例３−１＞
例３−１での動作例を図２１を参照して説明する。図２１の例では、まず、ユーザ装置ＵＥ２がセルＡのセル端付近に存在し、セルＡに同期して発見信号の送受信を行っている。セルＢの基地局ｅＮＢ−Ｂは、隣接するセルＡにおけるＤ２Ｄ通信が自セルＢに及ぼす干渉量を測定する。例えば、基地局ｅＮＢ−Ｂは、セルＡのユーザ装置ＵＥ（例：ユーザ装置ＵＥ２）から送信される発見信号の受信電力を干渉量として測定し、所定の閾値と比較する（ステップ３０１）。基地局ｅＮＢ−Ｂは、干渉量が所定の閾値よりも大きくなったことを検知すると、隣接する基地局ｅＮＢ−ＡにＤ２Ｄ干渉を低減することを指示するための通知を行う（ステップ３０２）。
【０１００】
通知を受けた基地局ｅＮＢ−Ａは、関連するパラメータを変更し、変更したパラメータを含む制御信号を配下のユーザ装置ＵＥ１に送信する。このようなパラメータは、例えば、前述した閾値や、発見信号送受信のためのリソース割り当て情報等である。リソース割り当て情報としては、例えば、隣接セルＢにおいて使用されていないリソースをユーザ装置ＵＥ１に割り当てるための情報である。
【０１０１】
上記パラメータが前述した閾値である場合の例として、干渉を抑圧するために、第１の実施の形態で説明したパラメータを調整する例を図２２（上図）、（下図）を参照して説明する。
【０１０２】
本例では、（上図）に示すように、基地局ｅＮＢ−ＡのセルＡにおいて、他の同期信号に同期を切り替える条件２として旧条件２が設定されているものとする。（上図）に示すように、旧条件２では、セルＡのユーザ装置ＵＥ１が、旧条件２に対応する境界からセルＢ側に移動しなければ、セルＢへの同期を行わないものとされる。
【０１０３】
この前提の下、基地局ｅＮＢ−Ｂは、セルＡからの干渉量を測定し、閾値を超えたと判断すると（ステップ３１１）、干渉抑圧要求を基地局ｅＮＢ−Ａに送信する（ステップ３１２）。干渉抑圧要求を受信した基地局ｅＮＢ−Ａは、同期信号を切り替えるための条件２における閾値を、新条件２に対応する閾値とする（ステップ３１３）。そして、基地局ｅＮＢ−Ａは、新条件２に対応する閾値等のパラメータをユーザ装置ＵＥ１に送信する（ステップ３１４）。
【０１０４】
新条件２は、（上図）に図示する新条件２の境界に対応するものであり、この場合、ユーザ装置ＵＥ１は、旧条件２よりもセルＡの側にいる場合でも、新条件２よりもセルＢ側にいればセルＢ側に同期を切り替えるようにする（ステップ３１５）。ユーザ装置ＵＥ１がセルＢと同期するようになれば、ユーザ装置ＵＥ１は、セルＢにおけるタイミングで発見信号を送信するので、セルＢにおける干渉にはならず、セルＢにおける干渉が低減する。
【０１０５】
＜例３−２＞
図２３を参照して、例３−２を説明する。例３−１同様に、基地局ｅＮＢ−ＢはセルＡからのＤ２Ｄ通信による干渉量を測定し、それが閾値を超えたと判定する（ステップ３２１）。すると、基地局ｅＮＢ−Ｂは配下のユーザ装置ＵＥ３に対して発見信号に"ビジー"を含めて送信するよう指示する（ステップ３２２）。ユーザ装置ＵＥ３は、"ビジー"を含む発見信号を送信する（ステップ３２３）。"ビジー"を含む発見信号を受信したセルＡのユーザ装置ＵＥ２は、発見信号の送信を抑制する。これにより、セルＡからセルＢへの干渉が低減する。
【０１０６】
（第３の実施の形態の装置構成）
次に、第３の実施の形態における基地局ｅＮＢの構成例を説明する。図２４に示すように、基地局ｅＮＢは、受信部３０１、干渉判定部３０２、基地局間通信部３０３、動作制御部３０４、送信部３０５を備える。
【０１０７】
受信部３０１は、隣接セルからの発見信号等の各種信号を受信する。干渉判定部３０２は、例えば、隣接セルからの発見信号の受信電力が所定の閾値を超えるかどうかを判定することにより、隣接セルからの発見信号による干渉を抑制するか否かを判定する。基地局間通信部３０３は、干渉判定部３０２により、隣接セルからの発見信号による干渉を抑制すると判定された場合に、隣接基地局ｅＮＢに対して干渉抑制要求を送信する。また、基地局間通信部３０３は隣接基地局ｅＮＢから干渉抑制要求を受信する。
【０１０８】
動作制御部３０４は、例３−１において、隣接基地局ｅＮＢから干渉抑制要求を受信した場合に、配下のユーザ装置ＵＥに対して、隣接セルに対して干渉となる発見信号の送信を抑制する制御信号を送信する。例えば、図２３で説明したように、パラメータ（閾値）を調整し、セル端付近での発見信号の送信を抑制するための制御信号を送信する。また、例３−２において、干渉判定部３０２により、隣接セルからの発見信号による干渉を抑制すると判定された場合に、動作制御部３０４は、配下のユーザ装置ＵＥに対して"ビジー"を含む発見信号を送信するよう指示する制御信号を送信する。
【０１０９】
第３の実施の形態における基地局ｅＮＢは、第１及び第２の実施の形態における基地局ｅＮＢに、干渉判定部３０２、基地局間通信部３０３を追加し、動作制御部２０６に、第３の実施の形態における動作を行う機能を追加したものとして構成することも可能である。
【０１１０】
また、本発明の実施の形態におけるユーザ装置ＵＥ及び基地局ｅＮＢの構成はこれまでに説明した構成に限られるわけではなく、実施の形態で説明した動作を実現できる装置構成であればどのような構成でもよい。
【０１１１】
例えば、本発明の実施の形態によれば、セルを形成する基地局ｅＮＢを備える無線通信システムにおいて使用されるユーザ装置ＵＥであって、在圏セルの基地局ｅＮＢから、所定の条件に関するパラメータを受信する情報受信部と、前記所定の条件に関する測定対象信号の測定を行い、当該測定対象信号の測定値と前記パラメータとに基づいて、前記所定の条件が満たされたか否かを判定する条件判定部と、前記条件判定部により、前記所定の条件が満たされたと判定された場合に、所定の動作を実行する動作実行部とを備えることを特徴とするユーザ装置ＵＥが提供される。
【０１１２】
第１の実施の形態で説明したように、前記所定の条件は、例えば第１の条件と第２の条件を有し、前記動作実行部は、第１の条件が満たされたと判定された場合に、前記在圏セルの基地局ｅＮＢとは異なる他の基地局ｅＮＢと同期をとるために使用する同期信号のサーチを開始し、第１の条件が満たされた後に、第２の条件が満たされたと判定された場合に、前記在圏セルの基地局ｅＮＢから前記他の基地局ｅＮＢへ同期を切り替える。
【０１１３】
このように、条件に応じて同期信号のサーチ及び切り替えに係る動作を制御可能としたことで、例えば、ユーザ装置ＵＥが存在するエリア（セル中央、セル端等）に応じて、ユーザ装置ＵＥは、適切な同期信号と同期して、発見信号送受信動作を行うことができる。
【０１１４】
また、第２の実施の形態で説明したように、前記所定の条件は、例えば第１の条件と第２の条件を有し、前記動作実行部は、第１の条件が満たされたと判定された場合に、隣接セルとの間で装置対装置通信の発見信号送受信を開始し、第１の条件が満たされた後に、第２の条件が満たされたと判定された場合に、当該発見信号送受信を停止する。
【０１１５】
このように、条件に応じて隣接セルとの間での発見信号送受信動作を制御可能としたことで、例えば、ユーザ装置ＵＥが存在するエリア（セル中央、セル端等）に応じて、隣接セルとの間で発見信号送受信を行うか否かを適切に制御できる。
【０１１６】
また、本発明の実施の形態によれば、無線通信システムにおいてユーザ装置ＵＥと通信する基地局ｅＮＢであって、前記ユーザ装置ＵＥに対して測定対象信号の測定を行うことを指示する測定要求を送信する測定要求部と、前記測定要求に基づく測定値を前記ユーザ装置ＵＥから受信し、当該測定値と所定の条件に関するパラメータとに基づいて、当該所定の条件が満たされたか否かを判定する条件判定部と、前記条件判定部により、前記所定の条件が満たされたと判定された場合に、前記ユーザ装置ＵＥに所定の動作を実行させるための制御信号を当該ユーザ装置ＵＥに送信する動作制御部とを備えたことを特徴とする基地局ｅＮＢが提供される。
【０１１７】
第１の実施の形態で説明したように、前記所定の条件は、例えば第１の条件と第２の条件を有し、前記動作制御部は、第１の条件が満たされたと判定された場合に、前記基地局ｅＮＢとは異なる他の基地局ｅＮＢと同期をとるために使用する同期信号のサーチを前記ユーザ装置ＵＥに開始させるための制御信号を当該ユーザ装置ＵＥに送信し、第１の条件が満たされた後に、第２の条件が満たされたと判定された場合に、前記ユーザ装置ＵＥに前記基地局ｅＮＢから前記他の基地局ｅＮＢへ同期を切り替えさせるための制御信号を当該ユーザ装置ＵＥに送信する。
【０１１８】
このように、条件に応じて同期信号のサーチ及び切り替えに係る動作を制御可能としたことで、例えば、ユーザ装置ＵＥが存在するエリア（セル中央、セル端等）に応じて、ユーザ装置ＵＥは、適切な同期信号と同期して、発見信号送受信動作を行うことができる。
【０１１９】
また、第２の実施の形態で説明したように、前記所定の条件は、例えば第１の条件と第２の条件を有し、前記動作制御部は、第１の条件が満たされたと判定された場合に、前記ユーザ装置ＵＥに隣接セルとの間で装置対装置通信の発見信号送受信を開始させるための制御信号を当該ユーザ装置ＵＥに送信し、第１の条件が満たされた後に、第２の条件が満たされたと判定された場合に、前記ユーザ装置ＵＥに前記発見信号送受信を停止させるための制御信号を当該ユーザ装置ＵＥに送信する。
【０１２０】
このように、条件に応じて隣接セルとの間での発見信号送受信動作を制御可能としたことで、例えば、ユーザ装置ＵＥが存在するエリア（セル中央、セル端等）に応じて、隣接セルとの間で発見信号送受信を行うか否かを適切に制御できる。
【０１２１】
また、第３の実施の形態（例３−１）で説明したように、前記基地局ｅＮＢは、他の基地局ｅＮＢのセルに在圏するユーザ装置ＵＥから送信される装置対装置通信の発見信号を受信することにより、当該発見信号による干渉量を測定し、当該干渉量が所定の閾値を超えるか否かを判定する干渉判定部と、前記干渉量が前記所定の閾値を超えると判定された場合に、干渉抑圧要求を他の基地局ｅＮＢに送信する干渉抑圧要求送信部とを更に備え、前記動作制御部は、前記他の基地局ｅＮＢから干渉抑圧要求を受信した場合に、他のセルに対して干渉となる発見信号の送信を抑制するための制御信号を前記基地局ｅＮＢに在圏するユーザ装置ＵＥに送信する。
【０１２２】
また、第３の実施の形態（例３−２）で説明したように、前記基地局ｅＮＢは、他の基地局ｅＮＢのセルに在圏するユーザ装置ＵＥから送信される装置対装置通信の発見信号を受信することにより、当該発見信号による干渉量を測定し、当該干渉量が所定の閾値を超えるか否かを判定する干渉判定部を更に備え、前記干渉量が前記所定の閾値を超えると判定された場合に、前記動作制御部は、前記基地局ｅＮＢに在圏するユーザ装置ＵＥに、隣接セルからの干渉があることを示す情報（例：前述した"ビジー"を示す識別情報）を含む発見信号を送信させるための制御信号を当該ユーザ装置ＵＥに送信する。
【０１２３】
上述したように、他の基地局ｅＮＢのセルに在圏するユーザ装置ＵＥから送信される装置対装置通信の発見信号に基づき干渉量を測定し、干渉量が大きい場合に干渉を抑制する制御を行うことで、隣接セルからの干渉を低減することができる。
【０１２４】
（実施の形態の効果）
以上説明したように、本発明の実施の形態によれば、セル間非同期のセルラー環境において、ユーザ装置ＵＥが存在するエリア（位置）に応じて、ユーザ装置ＵＥを適切に動作させることを可能とする技術を提供することが可能となる。
【０１２５】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１２６】
ＵＥ  ユーザ装置
ｅＮＢ  基地局
１０１  受信部
１０２  パラメータ取得部
１０３  パラメータ格納部
１０４  測定部
１０５  条件判定部
１０６  動作実行部
１０７  送信部
２０１  送信部
２０２  測定要求部
２０３  受信部
２０４  条件判定部
２０５  パラメータ格納部
２０６  動作制御部
３０１  受信部
３０２  干渉判定部
３０３  基地局間通信部
３０４  動作制御部
３０５  送信部
【図１】
2015035710.tif 000003
【図２】
2015035710.tif 000004
【図３】
2015035710.tif 000005
【図４】
2015035710.tif 000006
【図５】
2015035710.tif 000007
【図６】
2015035710.tif 000008
【図７】
2015035710.tif 000009
【図８】
2015035710.tif 000010
【図９】
2015035710.tif 000011
【図１０】
2015035710.tif 000012
【図１１】
2015035710.tif 000013
【図１２】
2015035710.tif 000014
【図１３】
2015035710.tif 000015
【図１４】
2015035710.tif 000016
【図１５】
2015035710.tif 000017
【図１６】
2015035710.tif 000018
【図１７】
2015035710.tif 000019
【図１８】
2015035710.tif 000020
【図１９】
2015035710.tif 000021
【図２０】
2015035710.tif 000022
【図２１】
2015035710.tif 000023
【図２２】
2015035710.tif 000024
【図２３】
2015035710.tif 000025
【図２４】
2015035710.tif 000026